(57)【要約】【課題】マッサージ具本体の表面に被覆される被覆体に鉱石粉末を含有させることによって、押圧と回転によるマッサージ効果に加えて、遠赤外線効果とマイナスイオン効果が同時に得られる健康マッサージ具の提供を図る。【解決手段】本発明の健康マッサージ具１０は、押圧と回転によるマッサージ効果に加えて、遠赤外線効果とマイナスイオン効果が同時に得られるマッサージ具であって、該マッサージ具は、円盤状のマッサージ具本体２０の片面中央に表面がデェンプル加工された略半球状の押圧突起２１を形成すると共に、該円盤状のマッサージ具本体２０の片面周縁には複数の略半球状の押圧小突起２２を連設し、さらに、円盤状のマッサージ具本体２０の片面全体に遠赤外線効果とマイナスイオン効果が発生する鉱石粉末２４を含有させた被覆体２３を被覆して成る手段を採る。【選択図】図１
2017200551.tif 000002
【特許請求の範囲】
【請求項１】
押圧と回転によるマッサージ効果に加えて、遠赤外線効果とマイナスイオン効果が同時に得られるマッサージ具であって、
前記マッサージ具は、円盤状のマッサージ具本体の片面中央に表面がデェンプル加工された略半球状の押圧突起を形成すると共に、該円盤状のマッサージ具本体の片面周縁には複数の略半球状の押圧小突起を連設し、さらに、円盤状のマッサージ具本体の片面全体に遠赤外線効果とマイナスイオン効果が発生する鉱石粉末を含有させた被覆体を被覆して成ることを特徴とする健康マッサージ具。
【請求項２】
前記円盤状のマッサージ具本体の一端に着脱自在な取っ手を設けたことを特徴とする請求項１記載の健康マッサージ具。
【発明の詳細な説明】
【技術分野】
【０００１】  本発明は、マッサージ具本体の表面に被覆される被覆体に鉱石粉末を含有させることによって、押圧と回転によるマッサージ効果に加えて、遠赤外線効果とマイナスイオン効果が同時に得られるマッサージ具に関する。
【背景技術】
【０００２】  従来より、遠赤外線やマイナスイオンを放出する様々な機能性下着や健康マッサージ具などの健康医療商品が提供されている。【０００３】  しかしながら、上記における健康マッサージ具においては、構造が複雑で重量的に重かったり、電気的な手段を用いて遠赤外線やマイナスイオンを発生させ手段を用いているため、高価であると同時に使用場所と使用時間が限定されるといった問題があるもので、それらの問題点を安価且つ使い勝手の良い手段で構成される軽量且つ簡易構造の健康マッサージ具の提供が望まれていた。【０００４】  従来における健康マッサージ具の具体的な提案としては、例えば、ユーザの体格や部位（患部）に柔軟に対応することができる「マッサージ器具」（特許文献１）の提案がなされ、公知技術となっている。【０００５】  しかしながら、係る「マッサージ器具」の提案は、複数の凹部を有するマッサージ具本体部と、ユーザの部位（患部）を押圧する凸部を有し、前記複数の凹部の各々に着脱可能に嵌合される複数のツボ押圧手段と、前記複数のツボ押圧手段の各々の内部に配設され、前記凸部を振動させる振動発生手段とを具備し、前記凸部は、前記ツボ押圧手段の中心からずれた位置に配設されているマッサージ器具であるが、該提案は、振動発生手段として電気的な手段を採用しているため、高価であると同時に使用場所と使用時間が限定されるといった問題があるものであった。【０００６】  また、洗髪における毛穴部分の汚垢の除去効果を高めると共に、毛髪へのトリートメント効果、頭皮への良好な刺戟を与えるマッサージ効果、さらに、遠赤外線輻射効果及びマイナスイオン効果を発揮して、頭皮からの老廃物排出・血行促進、毛根細胞の活性化等の作用が得られる「スカルプケア用シャンプーブラシ」（特許文献２）の提案がなされ、公知技術となっている。【０００７】  しかしながら、係る「スカルプケア用シャンプーブラシ」の提案は、シリコンゴムを塑形材料とし、洋梨椀形状の把持部と、その先端を尖鋭に形成したブラシを全面かつ一体的に成形した基板とから形成する。シリコンゴム中に、遠赤外線・マイナスイオンを発生させる鉱石の粉末を分散して含有させると共に、天然に産出する温泉成分の結晶である温泉鉱泥を含有させる。また、ブラシの先端を細分割して細分割毛を形成し、さらに、把持部の裏面周縁の鍔部にボディマッサージ用の半球状凸起を複数個配設して成るスカルプケア用シャンプーブラシであるが、該提案は、スカルプケア用シャンプーブラシであることから頭部用のマッサージに限定されるものであって、身体の治療部位に用いられるマッサージ具ではなかった。【０００８】  また、シンプルな構造で足裏にあわせ変形可能でソフトな感触をもち、十分なマッサージ効果とセルフヒーリング効果を期待できる足裏健康マットとする「ラバースパイクを有する砂踏みマット」（特許文献３）の提案がなされ、公知技術となっている。【０００９】  しかしながら、係る「ラバースパイクを有する砂踏みマット」の提案は、柔軟で伸縮性を持つ嚢体素材を適宜な形状に加工したものを２枚重ねて周りを縫製又は接着等により嚢体に形成し、さらにこの中に砂等の粒物を充填した後、完全に密封したもので、その嚢体の表側全��又は一部にラバースパイクシートが一枚又は複数枚を熱圧着、接着、縫製等で完全に固定されるかもしくはマジックテープで脱着可能に設けられてあり、この面を上にして体重をかけて足を乗せると上記のラバースパイクシートは嚢体の砂等の粒体が圧されるのにあわせて容易に変形され、又、裏側を上にして同様に足を乗せると体重により砂等の粒物は圧され流動変形すると同時に上記のラバースパイクシートのラバースパイクが上下左右に動き倒れかつ戻る揺動クッションとなるように両面が使用できるよう構成されて成るラバースパイクを有する砂踏みマットであるが、該提案は、使用時において足踏み状態を繰り返すことで足裏がマッサージされる手段を採用しているもので、座りながら身体の各部位を万遍なくマッサージすることができるマッサージ具ではなかった。【００１０】  本出願人は、以上のような従来から提供されている健康マッサージ具におけるマッサージ手段と、遠赤外線効果とマイナスイオン効果を発生させる手段と構造に着目し、その問題を安価且つ使い勝手の良い手段で解決することができないものかという着想の下、マッサージ具本体の表面に被覆される被覆体に鉱石粉末を含有させることによって、押圧と回転によるマッサージ効果に加えて、遠赤外線効果とマイナスイオン効果が同時に得られるマッサージ具を開発し、本発明における「健康マッサージ具」の提案に至るものである。
【先行技術文献】
【特許文献】
【００１１】
【特許文献１】実用新案登録第３０８５８２５号公報
【特許文献２】実用新案登録第３１５４７４３号公報
【特許文献３】特開２００５−２５３９１０号公報
【発明の概要】
【発明が解決しようとする課題】
【００１２】  本発明は上記問題点に鑑み、マッサージ具本体の表面に被覆される被覆体に鉱石粉末を含有させることによって、押圧と回転によるマッサージ効果に加えて、遠赤外線効果とマイナスイオン効果が同時に得られるマッサージ具の提供を図ることを課題とする。
【課題を解決するための手段】
【００１３】  本発明は上記課題を解決するためになされるもので、本発明の健康マッサージ具は、押圧と回転によるマッサージ効果に加えて、遠赤外線効果とマイナスイオン効果が同時に得られるマッサージ具であって、前記マッサージ具は、円盤状のマッサージ具本体の片面中央に表面がデェンプル加工された略半球状の押圧突起を形成すると共に、該円盤状のマッサージ具本体の片面周縁には複数の略半球状の押圧小突起を連設し、さらに、円盤状のマッサージ具本体の片面全体に遠赤外線効果とマイナスイオン効果が発生する鉱石粉末を含有させた被覆体を被覆して成る手段を採る。【００１４】  また、本発明の健康マッサージ具は、前記円盤状のマッサージ具本体の一端に着脱自在な取っ手を設けた手段を採る。
【発明の効果】
【００１５】  本発明の健康マッサージ具よれば、マッサージ具本体が、木、合成樹脂、金属などあらゆる素材を使用して切削加工ならびに成型加工ができるため、極めて安価に製造することができると共に、使用時においては、軽量且つ簡易構造のマッサージ具の提供ができるといった優れた効果を奏する。【００１６】  また、本発明の健康マッサージ具によれば、マッサージ具自体が掌にすっぽり入る小型であることから、場所と時間を選ばずにリアルタイムに患部をマッサージすることができるといった優れた効果を奏する。【００１７】  また、本発明の健康マッサージ具によれば、マッサージ具の表面に黒トルマリン鉱石、リチア鉱石、ブリッダ鉱石等をブレンドした鉱石粉末を含有させた被覆体を被覆することによって、遠赤外線効果とマイナスイオン効果が同時に得られるといった優れた効果を奏する。【００１８】  また、本発明の健康マッサージ具によれば、マッサージ具の一端に着脱自在な取っ手が取り付けられることによって、手の届かない背中や足先などを容易にマッサージすることができると共に、使用しないときは、コンパクトに収納することができるといった優れた効果を奏する。
【図面の簡単な説明】
【００１９】
【図１】本発明における健康マッサージ具の実施形態を示す説明図である。（実施例１）
【図２】本発明における健康マッサージ具の別の実施形態を示す説明図である。（実施例２）
【発明を実施するため形態】
【００２０】  本発明における健康マッサージ具１０は、マッサージ具本体２０の表面に被覆される被覆体２３に鉱石粉末２４を含有させることによって、押圧と回転によるマッサージ効果に加えて、遠赤外線効果とマイナスイオン効果が同時に得られる手段を採ったことを最大の特徴とする。以下、本発明の実施形態を、図面に基づいて説明する。
【００２１】  尚、本発明の健康マッサージ具１０は、以下に述べる実施例に限定されるものではなく、本発明の技術的思想の範囲内、すなわち同一の作用効果を発揮できる形状及び寸法の範囲内で、適宜変更することができる。
【実施例１】
【００２２】  図１は、本発明における健康マッサージ具の実施形態を示す説明図である。
図１（ａ）は健康マッサージ具１０を示す全体斜視図である。
本発明の健康マッサージ具１０は、押圧と回転によるマッサージ効果に加えて、遠赤外線効果とマイナスイオン効果が同時に得られるマッサージ具であって、該マッサージ具は、円盤状のマッサージ具本体２０の片面中央に表面がデェンプル加工された略半球状の押圧突起２１を形成すると共に、該円盤状のマッサージ具本体２０の片面周縁には複数の略半球状の押圧小突起２２を連設し、さらに、円盤状のマッサージ具本体２０の片面全体に遠赤外線効果とマイナスイオン効果が発生する鉱石粉末２４を含有させた被覆体２３を被覆して形成される。【００２３】  マッサージ具本体２０は、掌に収まる円盤状に形成されるもので、回転または押圧する最適な形状を以って形成される。
また、外筒部周縁に滑り止め機能を設けることや、凹凸状にして回転によるマッサージ効果が得られる形状とすることもできる。【００２４】  押圧突起２１は、円盤状のマッサージ具本体２０の片面中央に表面がデェンプル加工された略半球状に形成され、押圧よるマッサージ効果と、遠赤外線効果と、マイナスイオン効果が同時に得られる形状を有して形成される。【００２５】  押圧小突起２２は、円盤状のマッサージ具本体２０の片面周縁に略半球状の形状を有して複数突設されるもので、押圧と回転によるマッサージ効果と、遠赤外線効果と、マイナスイオン効果が同時に得られる形状を有して形成される。【００２６】  被覆体２３は、例えば、所用の弾力性を有する合成樹脂、ゴム、ポリマー、塗料、コーティング剤などで形成される。【００２７】  鉱石粉末２４は、例えば、黒トルマリン鉱石、リチア鉱石、ブリッダ鉱石等をブレンドしたものを用いて遠赤外線効果ならびにマイナスイオン効果を同時に発生させることができる。
尚、遠赤外線効果ならびにマイナスイオン効果を発生させる物質としては、特に上記記載の物質に限定されるものではない。【００２８】  図１（ｂ）は健康マッサージ具１０の被覆体２３の被覆状態を示す断面説明図である。
本発明の健康マッサージ具１０の円盤状のマッサージ具本体２０の片面全体に遠赤外線効果とマイナスイオン効果が発生する鉱石粉末２４を含有させた被覆体２３を被覆して形成するものである。
肌に直接当たるマッサージ面が被覆体２３によって被覆されていることで、押圧と回転によるマッサージ効果に加えて、遠赤外線効果とマイナスイオン効果が同時に得られる構造とすることができる。【００２９】  図１（ｃ）は健康マッサージ具１０の使用状態を示す説明図である。
健康マッサージ具１０の押圧突起２１を上方から押圧させて回転させることによって患部を集中的にマッサージすることができる。また押圧突起２１の表面に被覆される被覆体２３が回転による摩擦熱によって遠赤外線効果と、マイナスイオン効果による治療ができる。【００３０】  図１（ｄ）は健康マッサージ具１０の別の使用状態を示す説明図である。
健康マッサージ具１０の押圧突起２１を中心に回転させることによって、上記の押圧突起２１のマッサージ効果に加えて、押圧小突起２２の回転による摩擦熱によって、患部の周りが万遍なく遠赤外線効果と、マイナスイオン効果による治療ができる。【００３１】  以上で構成される本発明の健康マッサージ具１０は、マッサージ具本体２０の片面に設けられる押圧突起２１と押圧小突起２２によって患部を集中的に押圧マッサージすることができると共に、患部の周辺を万遍なく遠赤外線効果と、マイナスイオン効果による治療ができる健康マッサージ具１０の提供を可能にする。
尚、上記片面に設けられるマッサージ機能をマッサージ具本体２０の上面（すなわち両面）に設ける仕様とすることもできる。
【実施例２】
【００３２】  図２は、本発明における健康マッサージ具の別の実施形態を示す説明図である。
図２（ａ）は健康マッサージ具１０を示す全体斜視図である。
本発明の健康マッサージ具１０は、円盤状のマッサージ具本体２０の一端に着脱自在な取っ手２５を設けて形成される。【００３３】  取っ手２５は、所用の長さと形状をもって形成されるもので、着脱自在な形状であると共に、伸縮自在な形状とすることもできる。【００３４】  図２（ｂ）は健康マッサージ具１０の使用状態を示す説明図である。
健康マッサージ具１０のマッサージ具本体２０に着脱自在な取っ手２５が取り付けられることによって、手の届かない背中や足先などを容易にマッサージすることができると共に、使用しないときは、コンパクトに収納することができる。【００３５】  以上で構成される本発明の健康マッサージ具１０は、マッサージ具本体２０の一端に取っ手２５が取り付けられることによって、叩きによるマッサージ効果に加えて、遠赤外線効果と、マイナスイオン効果による治療ができる健康マッサージ具１０の提供を可能にする。
【産業上の利用可能性】
【００３６】  本発明における健康マッサージ具は、マッサージ具本体の表面に被覆される被覆体に鉱石粉末を含有させることによって、押圧と回転によるマッサージ効果に加えて、遠赤外線効果とマイナスイオン効果が同時に得られることから、本発明における「健康マッサージ具」の産業上の利用可能性は極めて大である。
【符号の説明】
【００３７】１０  健康マッサージ具
２０  マッサージ具本体
２１  押圧突起
２２  押圧小突起
２３  被覆体
２４  鉱石粉末
２５  取っ手
【図１】
2017200551.tif 000003
【図２】
2017200551.tif 000004